(57)【要約】【課題】基板上を伝播する信号からのノイズ輻射を、別途回路等を増設することなく、低コストで容易に抑制することが可能な配線基板、画像形成装置、及び配線方法を提供する。【解決手段】差動信号を伝送するために、相互に平行且つ相互間の距離が一定の一対の信号線Ｌが形成された配線基板１００であって、一対の信号線Ｌには、各信号線の長さを同一に維持するような蛇行状の配線パターン４００が形成され、蛇行状の配線パターン４００のカーブ内側部分で一対の信号線Ｌの同一信号線同士を短絡するように実装される接続手段５００を備え、接続手段５００の実装位置は、蛇行状の配線パターン４００を通過後の差動信号の各信号の位相差が１８０度となるように、カーブ内側部分の任意の位置に調整されている。【選択図】図５
2010135869.tif 000002
【特許請求の範囲】
【請求項１】
差動信号を伝送するために、相互に平行且つ相互間の距離が一定の一対の信号線が形成された配線基板であって、
前記一対の信号線には、各信号線の長さを同一に維持するような蛇行状の配線パターンが形成され、
前記蛇行状の配線パターンのカーブ内側部分で前記一対の信号線の同一信号線同士を短絡するように実装される接続手段を備え、
前記接続手段の実装位置は、前記蛇行状の配線パターンを通過後の差動信号の各信号の位相差が１８０度となるように、前記カーブ内側部分の任意の位置に調整されていることを特徴とする配線基板。
【請求項２】
前記接続手段はチップ抵抗であることを特徴とする請求項１記載の配線基板。
【請求項３】
前記接続手段の実装位置は、前記蛇行状の配線パターンを通過後の差動信号の各信号を入力とした排他的論理和回路の出力に基づいて調整されることを特徴とする請求項１または２記載の配線基板。
【請求項４】
前記接続手段の実装位置は、前記差動信号の各信号の立上り及び／または立下りの傾度が異なる場合、前記各信号のハイレベルとローレベルの中間値となるタイミングが一致するように調整されることを特徴とする請求項１から３の何れかに記載の配線基板。
【請求項５】
請求項１から４の何れかに記載の配線基板を備えることを特徴とする画像形成装置。
【請求項６】
差動信号を伝送するために、配線基板に形成された相互に平行且つ相互間の距離が一定の一対の信号線の配線方法であって、
前記一対の信号線に、各信号線の長さを同一に維持するような蛇行状の配線パターンを形成し、
前記蛇行状の配線パターンのカーブ内側部分で前記一対の信号線の同一信号線同士を短絡するように実装される接続手段の実装位置を、前記蛇行状の配線パターンを通過後の差動信号の各信号の位相差が１８０度となるように、前記カーブ内側部分の任意の位置に調整することを特徴とする配線方法。
【発明の詳細な説明】
【技術分野】
【０００１】
本発明は、差動信号を伝送するために、相互に平行且つ相互間の距離が一定の一対の信号線が形成された配線基板、当該配線基板を備えた画像形成装置、及び配線方法に関する。
【背景技術】
【０００２】
従来、信号の伝送は、所定の基準電圧より高レベルの信号をハイレベル、低レベルの信号をローレベルとして伝送する方式が用いられることが多かった。
【０００３】
しかし、上述の方式では、伝送する信号は、ノイズの影響を受けやすく、また、減衰しやすいといった問題があり、高速で正確にデータを伝送するには限界があった。
【０００４】
そこで、高速伝送が必要な場合等には、差動信号を用いる方式が用いられることが多い。差動信号を用いる方式は、２本の信号線を用いて信号伝送を行なう方式で、２本の信号線のうち一方の信号線と他方の信号線に相互に逆位相の信号を伝送し、一方の信号線の電圧が他方の信号線の電圧より高い場合をハイレベル、低い場合をローレベルとする方式である。
【０００５】
このように、差動信号を用いる方式では、２本の信号線を伝送する各信号の位相が逆位相となっているため、２本の信号線を相互に平行とすることで、各信号が信号線を通過する際に発生する磁界がお互いに打ち消されて、ＥＭＩノイズ放射を抑えることができる。
【０００６】
尚、差動信号を用いる方式では、両信号線の電圧が同レベルとなる電圧値、つまりハイレベルとローレベルの境界となる電圧値であるクロスポイントは、例えば、信号線を伝送する電圧の最大値と最小値の中間の電圧値に設定される。
【０００７】
差動信号を用いる方式では、差動信号が、当該差動信号の入力先の回路等に位相差なく到達することが理想的である。
【０００８】
なぜなら、位相差が生じると、両信号線を伝送する信号のクロスポイントがずれ、差動信号を入力する回路が正しくデータをラッチできない虞があるからである。また、両信号線の一方に迂回部分等があることで両信号線の平行が保たれない場合、当該迂回部分で位相差が生じ、当該迂回部分以後の両信号線では磁界がお互いに打ち消されることなく、ＥＭＩノイズが発生する虞があるからである。
【０００９】
特許文献１には、差動信号を用いる方式で両信号線を伝送する信号に生じた位相差を補正することを目的として、差動信号を出力する差動信号出力手段と、差動信号出力手段の出力信号に対して遅延調整を行う遅延調整手段と、遅延調整手段を通った正極性および反転極性の差動出力信号の位相を比較する位相差検出手段と、位相差検出手段の検出結果に応じて遅延調整手段による信号遅延時間を制御する制御手段と、を備える差動シリアル通信装置が開示されている。
【００１０】
また、特許文献２には、両信号線を伝送する信号の位相差により生じる放射ノイズを低減することを目的として、検査対象の配線パターンの差動信号線路の＋信号と−信号の位相差を検出する配線検査方法が開示されている。
【００１１】
また、その具体的な方法として、検査対象の配線パターンである差動信号線路の＋信号線上、及び−信号線上の信号の伝播方向に、所定配線長間隔で解析座標を生成するステップと、＋信号線及び−信号線の入力点または出力点から同じ配線長にある解析座標の点を結んだ直線を求め、該直線と前記＋信号線及び−信号線とが作る角度をそれぞれ算出し、それらの角度を比較するステップと、該比較の結果に基づいて、＋信号と−信号の位相差の発生を検出するステップとを備えた配線検査方法が開示されている。
【特許文献１】特開２００４−２０８００４号公報
【特許文献２】特開２０００−２０６１７１号公報
【発明の開示】
【発明が解決しようとする課題】
【００１２】
差動信号を用いる方式では、両信号線の平行が保たれない場合だけでなく、両信号線の平行が保たれている場合であっても、ＥＭＩノイズが発生する虞がある。
【００１３】
つまり、デバイスから両信号線へ出力される信号の位相にデバイスからの出力時点でずれがあると、上述した差動信号を用いる方式の発生する磁界の打ち消しという利点が失われ、両信号線の平行が保たれていても、両信号線を伝送する信号が、あたかも不平行パターン上を伝送されるように、各信号が信号線を通過する際に発生する磁界がお互いに打ち消されることなく、その結果、ＥＭＩノイズが発生し得るのである。
【００１４】
上述の特許文献１では、両信号線への信号の出力元となるデバイスに、両信号の位相のずれを是正するための手段（遅延調整手段、位相差検出手段、及び制御手段）を設ける必要があり、コストアップとなってしまう。
【００１５】
また、差動信号を用いる方式で、両信号線が平行となるように設計することは基板パターンの設計に盛り込むべき内容であるところ、特許文献２は、両信号線の平行が保たれないことで生じるノイズを低減することはできる。しかし、両信号線の平行が保たれているがデバイスから両信号線へ出力される信号の位相にデバイスからの出力時点でずれがある場合にノイズを低減することはできない。
【００１６】
本発明の目的は、上述の従来欠点に鑑み、基板上を伝播する信号からのノイズ輻射を、別途回路等を増設することなく、低コストで容易に抑制することが可能な配線基板、画像形成装置、及び配線方法を提供する点にある。
【課題を解決するための手段】
【００１７】
上述の目的を達成するため、本発明による配線基板の第一の特徴構成は、特許請求の範囲の書類の請求項１に記載した通り、差動信号を伝送するために、相互に平行且つ相互間の距離が一定の一対の信号線が形成された配線基板であって、前記一対の信号線には、各信号線の長さを同一に維持するような蛇行状の配線パターンが形成され、前記蛇行状の配線パターンのカーブ内側部分で前記一対の信号線の同一信号線同士を短絡するように実装される接続手段を備え、前記接続手段の実装位置は、前記蛇行状の配線パターンを通過後の差動信号の各信号の位相差が１８０度となるように、前記カーブ内側部分の任意の位置に調整されている点にある。
【００１８】
上述の構成によれば、一対の信号線を伝送する各信号の位相が１８０度からずれている場合であっても、位相が遅れている方の信号に対応する信号線の配線長を接続手段によって短くできるため位相差を１８０度に調整することができ、位相のずれによるノイズ発生を防止できる。
【００１９】
また、配線基板に接続手段を実装しても、配線基板上に形成されている蛇行状の配線パターンは、相互に平行であり、相互間の距離が一定であり、且つ各信号線の長さを同一に維持しているため、両信号線の平行且つ相互距離一定が保たれないことによる位相差の発生を防止できる。
【００２０】
同第二の特徴構成は、同請求項２に記載した通り、上述の第一特徴構成に加えて、前記接続手段はチップ抵抗である点にある。
【００２１】
上述の構成によれば、接続手段として、調達容易で安価なチップ抵抗を用いるため、配線基板のコストを低下させることができる。
【００２２】
同第三の特徴構成は、同請求項３に記載した通り、上述の第一または第二特徴構成に加えて、前記接続手段の実装位置は、前記蛇行状の配線パターンを通過後の差動信号の各信号を入力とした排他的論理和回路の出力に基づいて調整される点にある。
【００２３】
上述の構成によれば、排他的論理和回路は、入力が２つの場合、２つの入力が同一か否かで出力が変わる回路であるため、接続手段の実装位置の調整に用いるのに適している。
【００２４】
同第四の特徴構成は、同請求項４に記載した通り、上述の第一から第三の何れかの特徴構成に加えて、前記接続手段の実装位置は、前記差動信号の各信号の立上り及び／または立下りの傾度が異なる場合、前記各信号のハイレベルとローレベルの中間値となるタイミングが一致するように調整される点にある。
【００２５】
例えば、図１の上段に示すように、差動信号の各信号（＋側出力及び−側出力）の立上り及び立下りの傾度が異なる場合、各信号の立上りまたは立下り開始のタイミングを一致するように調整しても、各信号のハイレベルとローレベルの中間値となるタイミングが「ｄ」だけずれてしまう。
【００２６】
そこで、上述の構成のように、接続手段の実装位置を、図１の下段に示すように、各信号のハイレベルとローレベルの中間値となるタイミングが一致するように調整することで、両信号で囲まれる領域であるアイパターン（図１の下段に斜線領域で示す。）を最大化することができる。そして、アイパターンが大きい程、安定した信号伝送を行なうことができる。
【００２７】
上述の目的を達成するため、本発明による画像形成装置の特徴構成は、特許請求の範囲の書類の請求項５に記載した通り、特許請求の範囲の書類の請求項１から４の何れかに記載の配線基板を備える点にある。
【００２８】
上述の構成によれば、画像形成装置は、基板上を伝播する信号からのノイズ輻射を低コストで容易に抑制することが可能な配線基板を備えているため、高画質の画像を形成することができる。
【００２９】
上述の目的を達成するため、本発明による配線方法の特徴構成は、特許請求の範囲の書類の請求項６に記載した通り、差動信号を伝送するために、配線基板に形成された相互に平行且つ相互間の距離が一定の一対の信号線の配線方法であって、前記一対の信号線に、各信号線の長さを同一に維持するような蛇行状の配線パターンを形成し、前記蛇行状の配線パターンのカーブ内側部分で前記一対の信号線の同一信号線同士を短絡するように実装される接続手段の実装位置を、前記蛇行状の配線パターンを通過後の差動信号の各信号の位相差が１８０度となるように、前記カーブ内側部分の任意の位置に調整する点にある。
【発明の効果】
【００３０】
以上説明した通り、本発明によれば、基板上を伝播する信号からのノイズ輻射を、別途回路等を増設することなく、低コストで容易に抑制することが可能な配線基板、画像形成装置、及び配線方法を提供することが可能となった。
【発明を実施するための最良の形態】
【００３１】
以下、本発明の配線基板、当該配線基板を搭載した画像形成装置、及び本発明の配線方法について説明する。
【００３２】
本実施形態では画像形成装置をデジタル複写機として説明する。図２（ａ）、（ｂ）に示すように、デジタル複写機１は、原稿としての用紙をセットする原稿載置部２と、原稿から読み込んだデータを電子データに変換する画像読取部３と、画像読取部３によって電子データに変換された画像データに基づいて用紙上にトナー像を形成して出力する画像形成部４と、用紙上に出力されたトナー像を加熱して用紙上に定着させる定着部５と、用紙を搬送する搬送部６と、用紙が収容された給紙部７及び機械左側部に設けられた手差し給紙口（図示せず）と、各種のメニューを設定する複数のメニュー設定キー等が配置された操作部８等とを備えて構成されている。
【００３３】
画像形成部４は、図２（ｂ）に示すように、像担持体４１と、像担持体４１の周囲に順に配置され、像担持体４１を帯電処理する帯電部４２と、帯電された像担持体４１を露光して静電潜像を形成する露光部４３と、像担持体４１に形成された静電潜像にトナーを静電付着させてトナー像を顕像化する現像部４４と、現像されたトナー像を用紙に転写する転写部４６と、転写後に像担持体４１に残留するトナーを除去して回収するクリーナ部４７と、像担持体４１表面の残留電位を落して均一にする除電ランプ４８とを備えて構成されている。
【００３４】
尚、画像形成部３は、像坦持体４１を所定の方向に回転駆動するメインモータＭ１を備えている。また、定着部５は、加熱用のヒータが挿入設置され用紙上のトナー像を加熱する加熱ローラと、加熱ローラに圧接配置され加熱されたトナー像を用紙上に定着する加圧ローラとを備えており、加熱ローラと加圧ローラは定着モータＭ２により回転駆動する。更に、搬送部６は、シートを搬送する搬送ローラ対６１を駆動させる搬送モータＭ３を備えている。
【００３５】
また、デジタル複写機１には、図３に示すように、上述の各機能ブロックを制御するための制御部９１と、制御プログラムやデータ等を記憶する記憶部９２とが設けられている。
【００３６】
制御部９１は、単一または複数の配線基板上に単一または複数のＣＰＵ９１１と各種ＬＳＩ９１２とを備えており、ＣＰＵ９１１により実行される制御プログラム及び各種ＬＳＩ９１２等の関連するハードウェアによりデジタル複写機１に画像形成処理を実行させるための所定の機能が実現されるように構成されている。
【００３７】
また、制御部９１は、デジタル複写機１の画像読取部３や画像形成部４等の各ブロックに対し制御信号を伝達するため、各ブロックと信号線により接続される。例えば、制御部９１は、記憶部９２の一部を構成するＲＯＭ９２１から読み出され、設定されたプログラムに従い、露光部４３やメインモータＭ１等の画像形成部４内の各ブロック、定着部５（定着モータＭ２）、搬送部６（搬送モータＭ３）等の動作を制御する。
【００３８】
記憶部９２は、ＣＰＵ９１１により実行される制御プログラム等が格納されたＲＯＭ９２１と、制御データを格納するＲＡＭ９２２と、画像読取部３で変換された電子データを格納する画像メモリ９２３等を備えている。
【００３９】
ここで、制御部９１は、例えば、記憶部９２と同一の配線基板上に設けられ、記憶部９２とデータのやり取りを行うため、信号線Ｌで接続されている。そして、本実施形態のデジタル複写機１では、画像データの処理速度の向上や、演算速度高速化等のため、制御部９１と記憶部９２との間等では、差動信号方式により信号の伝送を行うことができる。
【００４０】
以下、図４に基づき、制御部９１と記憶部９２の詳細について説明する。記憶部９２の画像メモリ９２３やＲＡＭ９２２には、高速なデータ伝送が行えるように半導体メモリ、例えばＤＤＲ  ＳＤＲＡＭ（Ｄｏｕｂｌｅ−Ｄａｔａ−Ｒａｔｅ  ＳｙｎｃｈｒｏｎｏｕｓＤｙｎａｍｉｃ  Ｒａｎｄｏｍ  Ａｃｃｅｓｓ  Ｍｅｍｏｒｙ）を採用できる。尚、ＤＤＲには、ＤＤＲ１、ＤＤＲ２、ＤＤＲ３等の種類があるが、以下の説明ではこれらを総称して「ＤＤＲ」と記す。以下、画像メモリ９２３やＲＡＭ９２２がＤＤＲである場合について説明する。尚、本発明の配線基板や配線方法に適用されるのは、ＤＤＲに限定されない。
【００４１】
図４に示すように、画像メモリ９２３及びＲＡＭ９２２は、データを保持するラッチ回路や信号の入出力のためのバッファを有するメモリコントローラ９２４（ＤＤＲでは、複数のビットをバッファにプリフェッチし、プリフェッチ完了後にデータをバースト転送する。）や、実際にデータを記憶する手段としてのメモリセルアレイ９２５等を有する。そして、画像メモリ９２３及びＲＡＭ９２２にはクロック発生回路９２６（例えばドライバＩＣ）が接続され、クロック発生回路９２６が発生するクロック（同期信号）が、画像メモリ９２３及びＲＡＭ９２２に入力される。
【００４２】
ここで、ＤＤＲに入力されるクロック信号（ＣＬＫ信号）には、差動信号方式が用いられる。従って、図４では、簡略化して図示しているが、クロック発生回路９２６から画像メモリ９２３やＲＡＭ９２２への信号線Ｌは、＋側と−側の一対の信号線Ｌで構成される。
【００４３】
次に、画像メモリ９２３及びＲＡＭ９２２は、信号線を介し、制御部９１のＣＰＵ９１１や各種ＬＳＩ９１２等と接続され、双方向のデータ伝送が可能である。尚、図４では、画像メモリ９２３及びＲＡＭ９２２と、ＣＰＵ９１１及び各種ＬＳＩ９１２との信号線Ｌは、簡略化して図示しているが、信号線Ｌは、データを並列に伝送できるように（例えば１バイト単位）、複数の信号線Ｌで構成される。
【００４４】
ここで、ＣＰＵ９１１等と記憶部９２間のデータ伝送では、データのやりとりの容易化のため、信号のエッジ（立上り、立下り）を参照して、記憶部９２へのデータを書き込みや記憶部９２からのデータの読み出しを行うためのデータストローブ信号（ＤＱＳ信号）が採用されている。このＤＱＳ信号は、データのリード／ライト動作時の基準動作クロックとして機能する。そして、ＤＱＳ信号には、差動信号方式が採用されている（尚、ＤＤＲ１では、ＤＱＳ信号はシングルエンド信号）。
【００４５】
即ち、メモリコントローラ９２４は、ＤＱＳ信号のクロスポイントを基準として、データを送信し、ラッチする。
【００４６】
そして、データの送受信を行う場合、まずＤＱＳ信号は、ローレベルとなる。その後、例えば、読み出し動作（画像メモリ９２３やＲＡＭ９２２からＣＰＵ９１１等がデータを読み出す）では、ＤＱＳ信号のエッジ（クロスポイント）は、データ信号のエッジとほぼ一致し、書き込み動作では（ＣＰＵ９１１等からのデータを画像メモリ９２３やＲＡＭ９２２に書き込む）ＤＱＳ信号のエッジは、データ信号のエッジのほぼ中央に位置する。つまり、ＤＱＳ信号により、リード、ライトのラッチタイミングをはかり、データの送受信が的確に行われるようにする。
【００４７】
以上のように、ＤＤＲを画像メモリ９２３やＲＡＭ９２２に採用する場合、差動信号の伝送が必要となる。そして、これらのような差動信号を伝送する信号線Ｌを有する配線基板１００に本発明が適用される。
【００４８】
以下、本発明の配線基板について説明する。図５は、本発明の配線基板１００上の信号線Ｌの一例を示す配線図である。
【００４９】
ここで、図５では、差動信号出力素子２００と差動信号入力素子３００が信号線Ｌによって接続されており、差動信号出力素子２００から出力された差動信号が差動信号入力素子３００に入力される場合について説明する。
【００５０】
尚、本実施形態のデジタル複写機１では、上述したように、ＣＬＫ信号やＤＱＳ信号に差動信号方式が採用される。よって、本実施形態では、差動信号出力素子２００は、クロック発生回路９２６、メモリコントローラ９２４、ＣＰＵ９１１等であり、差動信号入力素子３００は、画像メモリ９２３、ＲＡＭ９２２、メモリコントローラ９２４、ＣＰＵ９１１等である。
【００５１】
配線基板１００には、差動信号を伝送するために、相互に平行且つ相互間の距離が一定の一対の信号線Ｌが形成されている。
【００５２】
一対の信号線Ｌには、各信号線Ｌ１、Ｌ２の長さを同一に維持するような蛇行状の配線パターン４００が形成されている。尚、各信号線Ｌ１、Ｌ２は、夫々、差動信号出力素子２００の＋側端子と−側端子（図５にＡで示す。）に接続されている。
【００５３】
蛇行状の配線パターン４００は、信号線Ｌ２が蛇行の内側となり以下で説明する接続手段５００で短絡できるような幅ｄ１を持たせたパターンと、信号線Ｌ１が蛇行の内側となり接続手段５００で短絡できるような幅ｄ２（ｄ１と同一の幅でも異なる幅でもよい。）を持たせたパターンとで構成されている。
【００５４】
尚、蛇行状の配線パターン４００は、差動信号出力素子２００の近傍に設けられることが好ましい。差動信号出力素子２００から信号が出力された時点で、差動信号の両信号の位相にずれがあっても、以下で説明するように当該蛇行状の配線パターン４００によって当該位相のずれが是正されるため、当該蛇行状の配線パターン４００の後段部分での位相のずれによるノイズの放射を抑制できるからである。
【００５５】
配線基板１００は、蛇行状の配線パターン４００のカーブ内側部分で一対の信号線Ｌの同一信号線同士を短絡するように実装される接続手段５００を備えている。接続手段５００は、例えばチップ抵抗である。しかし、接続手段５００はチップ抵抗に限らず、例えばリード線タイプの抵抗であってもよい。
【００５６】
例えば、接続手段５００がチップ抵抗の場合、接続手段５００は、図５に破線及び二点鎖線で示すように、蛇行状の配線パターン４００のカーブ内側部分で幅ｄ１の間隔で配線されているパターンに接続されるチップ抵抗Ｒ１、及び／または、蛇行状の配線パターン４００のカーブ内側部分で幅ｄ２の間隔で配線されているパターンに接続されるチップ抵抗Ｒ２で構成されている。
【００５７】
接続手段５００の実装位置は、蛇行状の配線パターン４００を通過後の差動信号の各信号の位相差が１８０度となるように、カーブ内側部分の任意の位置に調整されている。
【００５８】
接続手段５００の実装位置は、図５に破線矢印で示すように、幅ｄ１及び幅ｄ２の夫々のパターン間で接続手段５００をスライドさせることで調整される。
【００５９】
接続手段５００のカーブ内側部分の実装位置によって、信号線Ｌ２（Ｌ１）の差動信号出力素子２００から差動信号入力素子３００までの配線長は、信号線Ｌ１（Ｌ２）の差動信号出力素子２００から差動信号入力素子３００までの配線長よりも長くまたは短くなる。
【００６０】
具体的には、チップ抵抗Ｒ１を実装してチップ抵抗Ｒ２を実装しない場合、信号線Ｌ１の当該配線長は信号線Ｌ２の当該配線長より長くなり、チップ抵抗Ｒ１を実装せずチップ抵抗Ｒ２を実装した場合、信号線Ｌ１の当該配線長は信号線Ｌ２の当該配線長より短くなり、チップ抵抗Ｒ１とチップ抵抗Ｒ２の双方を実装した場合、各チップ抵抗Ｒ１、Ｒ２の実装位置によって信号線Ｌ１と信号線Ｌ２の当該配線長の長短が決まる。
【００６１】
そして、接続手段５００（チップ抵抗Ｒ１、Ｒ２）の実装位置は、両信号線Ｌ１、Ｌ２の当該配線長の差分が両信号の位相の１８０度からのずれに相当する差分となる位置となるように、調整される。
【００６２】
接続手段５００の実装位置は、例えば、図６に示すように、蛇行状の配線パターン４００を通過後の差動信号の各信号を入力とした排他的論理和回路６００の出力に基づいて調整される。
【００６３】
排他的論理和回路６００は、例えば配線基板１００とは別に設けられたデジタルＩＣ等の回路素子である。尚、排他的論理和回路６００は、配線基板に実装されていなくてもよいし、配線基板１００、または、配線基板１００とは異なる配線基板に実装されていてもよい。
【００６４】
調整は、例えば以下のようにして行われる。蛇行状の配線パターン４００と差動信号入力素子３００の間（例えば図６にＢ１、Ｂ２で示す。）の両信号線Ｌ１、Ｌ２から配線を分岐させ、分岐させた両配線を排他的論理和回路６００に接続しておく。
【００６５】
そして、接続素子５００の実装位置を変更させながら、例えば、接続手段５００の実装によって差動信号出力素子２００から差動信号入力素子３００までの配線長が最も短くなる位置（図６にＣ１、Ｃ２で示す。）から、所定間隔で破線矢印方向にずらしながら、排他的論理和回路６００の出力を調べる。
【００６６】
両信号線Ｌ１、Ｌ２の位相のずれが１８０度ではない場合、図７（ａ）に示すように、排他的論理和回路６００の出力はローレベルを含むものとなる。一方、両信号線Ｌ１、Ｌ２の位相のずれが１８０度の場合、図７（ｂ）に示すように、排他的論理和回路６００の出力は常時ハイレベルとなる。
【００６７】
以下、接続手段５００の実装位置の調整例について、図８のフローチャートに基づいて説明する。
【００６８】
チップ抵抗Ｒ１を位置Ｃ１に実装し（Ｓ１）、排他的論理和回路（ＸＯＲ回路）６００の出力を調べる（Ｓ２）。ＸＯＲ回路６００の出力が常時ハイレベルの場合（Ｓ２）、両信号線Ｌ１、Ｌ２の位相のずれが１８０度であるため、製品版の配線基板におけるチップ抵抗Ｒ１の実装位置は、現に実装されている位置に決定され、調整は終了する。
【００６９】
一方、ＸＯＲ回路６００の出力がローレベルを含む場合（Ｓ２）、ステップＳ２の出力確認が、チップ抵抗Ｒ１を実装し得る幅ｄ１のパターンの全実装位置で行われたか否かで処理が異なる。
【００７０】
ステップＳ２の出力確認が未だ全実装位置で行われていない場合（Ｓ３）、チップ抵抗Ｒ１の実装位置を変更、例えば位置Ｃ１から所定間隔だけ図６の破線矢印方向にスライドして（Ｓ４）、ステップＳ２の出力確認を再度行なう。
【００７１】
一方、ステップＳ２の出力確認が全実装位置で行われた場合（Ｓ３）、チップ抵抗Ｒ１を取り外し、チップ抵抗Ｒ２を位置Ｃ２に実装した上で（Ｓ５）、排他的論理和回路（ＸＯＲ回路）６００の出力を調べる（Ｓ６）。
【００７２】
ＸＯＲ回路６００の出力が常時ハイレベルの場合（Ｓ６）、両信号線Ｌ１、Ｌ２の位相のずれが１８０度であるため、製品版の配線基板におけるチップ抵抗Ｒ２の実装位置は現に実装されている位置に決定され、調整は終了する。
【００７３】
一方、ＸＯＲ回路６００の出力がローレベルを含む場合（Ｓ６）、ステップＳ６の出力確認が、チップ抵抗Ｒ２を実装し得る幅ｄ２のパターンの全実装位置で行われたか否かで処理が異なる。
【００７４】
ステップＳ６の出力確認が未だ全実装位置で行われていない場合（Ｓ７）、チップ抵抗Ｒ２の実装位置を変更、例えば位置Ｃ２から図６の破線矢印方向に所定間隔だけスライドして（Ｓ８）、ステップＳ６の出力確認を再度行なう。
【００７５】
一方、ステップＳ６の出力確認が全実装位置で行われた場合（Ｓ７）、ＸＯＲ回路６００の故障といった原因を調べた上でステップＳ１からの調整を再度行なう（Ｓ９）。
【００７６】
以上の説明では、接続手段５００の実装位置は排他的論理和回路６００の出力に基づいて調整される場合について説明したが、接続手段５００の実装位置の調整はこのような方法に限らず、例えばオシロスコープで両信号線Ｌ１、Ｌ２を伝送する信号の波形を見ながら接続手段５００の実装位置を調整してもよい。
【００７７】
また、接続手段５００の実装位置は、差動信号の各信号の立上り及び／または立下りの傾度が異なる場合、各信号のハイレベルとローレベルの中間値となるタイミングが一致するように調整される。
【００７８】
図１の上段に示すように、差動信号出力素子２００から信号線Ｌ１へ出力された信号の傾度が、差動信号出力素子２００から信号線Ｌ２へ出力された信号の傾度より大きい場合、信号線Ｌ１を伝送する信号の立上り開始と信号線Ｌ２を伝送する信号の立下り開始のタイミングが一致していても、傾度の相違のため、両信号の電圧のレベルがハイレベル（例えば５Ｖ）とローレベル（例えば０Ｖ）の中間値（例えば２．５Ｖ）となるタイミングにずれが生じる。
【００７９】
この場合、両信号の立上り及び／または立下りの傾度が異なる（つまり両信号の特性が異なる）ため、図７（ｂ）で説明したように、両信号の位相差を１８０度として、両信号の特性を、中間値で構成される直線を対象軸とした線対称の関係とすることができない。
【００８０】
そこで、接続手段５００の実装位置を上述したように調整することによって、信号線Ｌ２へ出力された信号の蛇行状の配線パターン４００の後段部分（例えば図６のＢ２）への到着タイミングを早めて、両信号の電圧のレベルがハイレベルとローレベルの中間値となるタイミングを一致させる。タイミングを一致させた両信号を重ねて表示したタイムチャートを、図１の下段に示す。
【００８１】
以上の説明より、画像形成装置としてのデジタル複写機１は、本発明の配線基板１００を備える。
【００８２】
また、以上説明したとおり、本発明による配線方法は、差動信号を伝送するために、配線基板１００に形成された相互に平行且つ相互間の距離が一定の一対の信号線Ｌの配線方法であって、一対の信号線Ｌに、各信号線Ｌ１、Ｌ２の長さを同一に維持するような蛇行状の配線パターン４００を形成し、蛇行状の配線パターン４００のカーブ内側部分で一対の信号線Ｌの同一信号線同士を短絡するように実装される接続手段５００の実装位置を、蛇行状の配線パターン４００を通過後の差動信号の各信号の位相差が１８０度となるように、カーブ内側部分の任意の位置に調整する方法である。
【００８３】
上述の実施形態では、画像形成装置がデジタル複写機１である場合について説明したが、画像形成装置はアナログ複写機、複合機、及びプリンタ等であってもよい。
【００８４】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００８５】
【図１】差動信号の各信号の立上り及び立下りの傾度が異なる場合の位相差測定の説明図
【図２】（ａ）はデジタル複写機の外観図、（ｂ）はデジタル複写機の内部の説明図
【図３】デジタル複写機のブロック構成図
【図４】制御部と記憶部のブロック構成図
【図５】配線基板の配線図
【図６】排他的論理和回路を備えた配線基板の配線図
【図７】（ａ）は位相のずれがある場合の差動信号の各信号の特性図、（ｂ）は位相のずれがない場合の差動信号の各信号の特性図
【図８】接続手段の実装位置の調整について説明するためのフローチャート
【符号の説明】
【００８６】
１：画像形成装置（デジタル複写機）
１００：配線基板
４００：蛇行状の配線パターン
５００：接続手段
６００：排他的論理和回路
Ｌ：一対の信号線
Ｒ１：チップ抵抗
Ｒ２：チップ抵抗
【図１】
2010135869.tif 000003
【図２】
2010135869.tif 000004
【図３】
2010135869.tif 000005
【図４】
2010135869.tif 000006
【図５】
2010135869.tif 000007
【図６】
2010135869.tif 000008
【図７】
2010135869.tif 000009
【図８】
2010135869.tif 000010